(57)【要約】【課題】要保護情報を含んだ可視情報を表示装置に表示するとき、要保護情報が不用意に表示されることを防止する。【解決手段】表示制御装置１は、表示装置に表示させる情報の表示範囲をスクロールさせるスクロール指示を受け付けるスクロール指示受付部２と、スクロール指示を実行することによって表示装置に表示される情報が、所定条件を満足するか否かを判定する判定部３と、所定条件を満足する場合に表示範囲のスクロールを抑止する抑止部４と、を備える。【選択図】図１
2011197867.tif 000002
【特許請求の範囲】
【請求項１】
表示装置に表示させる情報の表示範囲をスクロールさせるスクロール指示を受け付けるスクロール指示受付部と、
前記スクロール指示を実行することによって前記表示装置に表示される情報が、所定条件を満足するか否かを判定する判定部と、
前記所定条件を満足する場合に前記表示範囲のスクロールを抑止する抑止部と、を備える表示制御装置。
【請求項２】
前記スクロール指示を実行することによって前記表示装置に表示される情報が、記憶部に記憶された所定情報を含む場合に、前記所定条件を満足する請求項１に記載の表示制御装置。
【請求項３】
前記スクロール指示を実行することによって前記表示装置に表示される情報が画像を含む場合に、前記所定条件を満足する請求項１に記載の表示制御装置。
【請求項４】
前記所定条件を満足する場合に前記表示装置に所定メッセージを出力するメッセージ出力部を備える請求項１〜３のいずれか一項に記載の表示制御装置。
【請求項５】
請求項１〜４のいずれか一項に記載の表示制御装置と、
前記表示装置と、
ユーザによる前記スクロール指示の操作入力を受け付ける入力部と、を備える情報処理装置。
【請求項６】
情報処理装置によって実行される表示制御方法であって、
表示装置に表示させる情報の表示範囲をスクロールさせるスクロール指示を受け付け、
前記スクロール指示を実行することによって前記表示装置に表示されることになる情報が所定条件を満足するか否かを判定し、
前記所定の条件を満足する場合に前記表示範囲のスクロールを抑止する表示制御方法。
【請求項７】
コンピュータを、
表示装置に表示させる情報の表示範囲をスクロールさせるスクロール指示を受け付けるスクロール指示受付部、
前記スクロール指示を実行することによって前記表示装置に表示される情報が、所定条件を満足するか否かを判定する判定部、および
前記所定条件を満足する場合に前記表示範囲のスクロールを抑止する抑止部、として機能させるコンピュータプログラム。
【発明の詳細な説明】
【技術分野】
【０００１】
本明細書で論じられる実施態様は、可視情報を表示装置へ表示する表示処理に関する。
【背景技術】
【０００２】
テキスト、画像又は動画のような可視情報を表示装置へ表示する際に、保護されるべき情報を第三者から閲覧しにくくする技術が提案されている。このような技術として、例えば携帯電話のプライバシー保護機能が提案されている。このプライバシー保護機能は、特定のメールアドレスから受信したメール内容を全て表示しないことによりユーザのプライバシーを保護する。また、表示画面の斜め方向からはテキストが見えなくなる覗き見防止技術も提案されている。
【０００３】
以下の説明において、保護されるべき情報を「要保護情報」と表記することがある。また、保護が不要な情報を「非保護情報」と表記することがある。
【０００４】
なお、携帯電話端末の外部から携帯電話端末の周囲環境データを受信する手段と、周囲環境データより携帯電話機の周囲の環境状況を推定する手段と、周囲環境状況が不特定多数の人間がいる場所か否かを判断する手段と、この判断するステップにて、携帯電話端末の周囲環境が不特定多数の人間が存在する環境にあると判断した時に、携帯電話端末の表示部に表示される情報のうち個人情報に相当する情報を抽出する手段と、個人情報を非表示状態に制御する手段と、を備える携帯電話端末が提案されている。
【０００５】
また、送信されてきたデータに基づいてデータ情報を生成し、このデータ情報の表示を行う情報表示装置であって、このデータ情報が非表示を指定する情報を有している場合には、このデータ情報の表示を行わない情報表示装置が提案されている。
【０００６】
また、入力されたキーワードに基づいてファイルを検索する検索手段と、検索手段によって検索されたファイルのうち予め設定されたファイルが存在するか否かを判断する判断手段と、入力されたキーワードに従って検索手段による検索結果として判断手段によって予め設定されたファイルであると判断されたファイルの表示を制限する検索制限手段とを有するファイル検索装置が提案されている。
【先行技術文献】
【特許文献】
【０００７】
【特許文献１】特開２００９−２６７５０４号公報
【特許文献２】特開平８−２３７７１０号公報
【特許文献３】特開２００７−７９６２５号公報
【発明の概要】
【発明が解決しようとする課題】
【０００８】
要保護情報を閲覧しにくくすることは、秘密漏洩防止やプライバシー保護などの観点から重要である。実施態様に係る装置及び方法は、要保護情報を含んだ可視情報を表示装置に表示するとき、要保護情報が不用意に表示されることを防止することを目的とする。
【課題を解決するための手段】
【０００９】
実施例の一態様によれば、表示装置に表示させる情報の表示範囲をスクロールさせるスクロール指示を受け付けるスクロール指示受付部と、スクロール指示を実行することによって表示装置に表示される情報が、所定条件を満足するか否かを判定する判定部と、所定条件を満足する場合に表示範囲のスクロールを抑止する抑止部と、を備える表示制御装置が与えられる。
【００１０】
実施例の他の態様によれば、表示装置に表示させる情報の表示範囲をスクロールさせるスクロール指示を受け付け、スクロール指示を実行することによって表示装置に表示されることになる情報が所定条件を満足するか否かを判定し、所定の条件を満足する場合に表示範囲のスクロールを抑止する表示制御方法が与えられる。
【発明の効果】
【００１１】
本件開示の装置又は方法によれば、要保護情報を含んだ可視情報を表示装置に表示するとき、要保護情報が不用意に表示されることが防止される。
【図面の簡単な説明】
【００１２】
【図１】表示制御装置の第１構成例を示す図である。
【図２】表示制御装置の第２構成例を示す図である。
【図３】表示制御装置の第３構成例を示す図である。
【図４】表示制御装置の第４構成例を示す図である。
【図５】情報処理装置のハードウエア構成例を示す図である。
【図６】情報処理装置の構成例を示す図である。
【図７】図６に示す表示制御部の構成例を示す図である。
【図８】キーワードテーブルの例を示す図である。
【図９】表示対象情報の第１例を示す図である。
【図１０】（Ａ）〜（Ｄ）は、図９に示す情報の表示状態の説明図である。
【図１１】図６に示す情報処理装置の処理の第１例の説明図である。
【図１２】図１１に示す表示制御処理の説明図である。
【図１３】（Ａ）は表示対象情報の第２例を示す図であり、（Ｂ）は（Ａ）の情報の表示イメージの説明図である。
【図１４】（Ａ）〜（Ｄ）は、図１３の（Ａ）に示す情報の表示状態の説明図である。
【図１５】図６に示す情報処理装置の処理の第２例の説明図である。
【図１６】図１５に示す表示制御処理の説明図である。
【発明を実施するための形態】
【００１３】
以下、添付される図面を参照して、好ましい実施例について説明する。図１は、表示制御装置の第１構成例を示す図である。表示制御装置１は、スクロール指示受付部２と、判定部３と、抑止部４を備える。
【００１４】
スクロール指示受付部２は、表示装置に表示させる情報の表示範囲をスクロールさせるスクロール指示を受け付ける。判定部３は、スクロール指示を実行することによって表示装置に表示される情報が、所定条件を満足するか否かを判定する。抑止部４は、所定条件が満たされると判定部３が判定する場合に表示範囲のスクロールを抑止する。
【００１５】
スクロール指示を実行することによって表示装置に表示される情報が要保護情報を含んでいることを所定条件として使用してよい。本実施例によれば、表示装置に表示させる可視情報が要保護情報を含んでいたとき、要保護情報の表示を抑止することができる。また本実施例によれば、その要保護情報がどのような事柄に関連しているかを、ユーザが安全に確認することができるようになる。
【００１６】
すなわち、ユーザは、表示範囲が要保護情報へ至るまでは可視情報の表示範囲をスクロールして自由に非保護情報を閲覧できるため、その後に続く要保護情報がどのような事柄に関連するかを判断することができる。一方で、要保護情報を表示するスクロールが抑止されるので不用意な要保護情報の表示が防止される。このため、ユーザは安心して可視情報の表示範囲をスクロールすることができる。したがって、ユーザが可視情報を閲覧する際の利便性が向上する。
【００１７】
また、このように要保護情報を含む可視情報の一部の閲覧を可能にすることは、その場で要保護情報を閲覧して良いか否かをユーザが判断することを可能にするため、可視情報を閲覧する際の利便性が向上する。
【００１８】
なお、上述の携帯電話のプライバシー保護機能の場合、予期しないメールアドレスから要保護情報を含んだメールを受信した場合に、このメールの内容が不用意に表示されてしまうという問題があった。本実施例によれば、スクロール操作によって要保護情報が表示されそうになったときにスクロール操作が抑止されるため、不用意に要保護情報が表示されることを防止できる。
【００１９】
また、上述の覗き見防止技術の場合、視点の位置によって覗き見防止効果が異なるので、ユーザは、表示画面の文字が周囲の人間から本当に見えないかどうか不安を感じるという問題があった。本実施例によれば、要保護情報が不用意に表示されること自体が防止されるので、ユーザがこのような不安を感じずに済む。
【００２０】
さらに、本実施例によれば、要保護情報を閲覧しにくくすることに伴う、ユーザ本人に対する利便性の低下を低減することができる。すなわち、要保護情報を閲覧しにくくする保護機能は、ユーザ本人に対する利便性の低下を招くことがある。なぜなら、要保護情報を含む可視情報を閲覧するときに、要保護情報を含まない可視情報を閲覧する場合とは異なる操作が行うことが要求されるからである。
【００２１】
本実施例によれば、ユーザは、表示範囲が要保護情報へ至るまでは可視情報の表示範囲をスクロールして自由に可視情報を閲覧できる。このため、単に保護不要な部分を閲覧するだけで用が足りるのであれば、従来の操作と同様にして閲覧することができるのでユーザの利便性は損なわれない。
【００２２】
なお、要保護情報は画像情報としてよい。すなわち、スクロール指示を実行することによって表示装置に表示される情報が画像を含んでいることを所定条件として使用してよい。
【００２３】
また、予め所定の記憶装置に所定情報を記憶させ、記憶装置に記憶された情報が、スクロール指示を実行することによって表示装置に表示される情報に含まれていることを、所定条件として使用してよい。このような実施例を図２に示す。図２は、表示制御装置の第２構成例を示す図である。
【００２４】
表示制御装置１は、スクロール指示受付部２と、判定部３と、抑止部４を備える。スクロール指示受付部２及び抑止部４の処理は、図１を参照して説明したそれぞれの処理と同様であってよい。判定部３は、上述の所定条件として、スクロール指示を実行することによって表示装置に表示される情報が、所定の記憶部に記憶された所定情報を含むか否かを判定する。なお、所定の記憶部に記憶される所定情報は、キーワードなどの文字情報、画像情報など、表示装置に表示可能な可視情報であれば何でもよい。
【００２５】
表示対象の情報の作成者と閲覧者が異なる場合、作成者がどのような要保護情報を表示対象の情報に含めるのかを閲覧者が予想することは難しいことがある。
【００２６】
本実施例によれば、記憶部に登録された所定情報自体だけでなく、この所定情報に続く情報を表示しようとするスクロール動作も抑止される。したがって、保護すべき情報自体が登録されていなくても、この情報に関連する情報を記憶部に登録することによって、保護すべき情報自体の表示を抑止することが期待できる。
【００２７】
例えば、特定の振り込み口座番号が要保護情報である場合を想定する。振り込み口座番号を示す可視情報には、振り込み口座番号に先行して「振り込み先」などのキーワードが使用される蓋然性が高い。したがって、上記所定情報として予めキーワード「振り込み先」を記憶部に登録しておけば、振り込み口座番号自体の表示が抑止されることが期待される。
【００２８】
続いて、他の表示制御装置１の他の実施例について説明する。図３は、表示制御装置の第３構成例を示す図である。表示制御装置１は、スクロール指示受付部２と、判定部３と、抑止部４と、メッセージ出力部５を備える。スクロール指示受付部２、判定部３及び抑止部４の処理は、図１又は図２を参照して説明した実施例におけるそれぞれの処理と同様であってよい。
【００２９】
メッセージ出力部５は、所定条件を満足する場合に表示装置に所定メッセージを出力する。本実施例によれば、ユーザは、要保護情報の存在によってスクロールが抑止されていることを知ることができる。このため本実施例は、要保護情報を閲覧するための準備をユーザに促すことができ、要保護情報を閲覧する際の安全性を向上する。
【００３０】
続いて、他の表示制御装置１の他の実施例について説明する。図４は、表示制御装置の第４構成例を示す図である。表示制御装置１は、スクロール指示受付部２と、判定部３と、抑止部４と、メッセージ出力部５と、応答受付部６を備える。スクロール指示受付部２、判定部３、抑止部４及びメッセージ出力部５の処理は、図３を参照して説明した実施例におけるそれぞれの処理と同様であってよい。
【００３１】
応答受付部６は、メッセージ出力部５が出力した所定メッセージに対する、ユーザからの応答入力を受け付ける。抑止部４は、この応答入力が受け付けられたときスクロールの抑止を解除する。本実施例によれば、ユーザは、要保護情報を閲覧するための準備が整ったことを表示制御装置１に指示することができる。このため、ユーザは安全な状態で要保護情報を閲覧することができ、閲覧の安全性を向上する。
【００３２】
続いて、可視情報の表示を行う情報処理装置の実施例について説明する。図５は、情報処理装置のハードウエア構成例を示す図である。情報処理装置１０は、プロセッサ１１と、記憶部１２と、入力部１３と、表示部１４と、通信部１５を備える。情報処理装置１０は、例えば携帯電話、ＰＤＡ（Personal Digital Assistant）、腕時計、ゲーム装置、オーディオ再生装置、映像再生装置といった移動携帯端末や、ノートパソコンなどのモバイル機器であってよい。情報処理装置１０は、パーソナルコンピュータなどの据え置き型の装置であってもよい。
【００３３】
記憶部１２は、情報処理装置１０の動作を制御するための各種コンピュータプログラム及びデータが記憶される。記憶部１２は、メモリ等の記憶装置や、ハードディスク等の補助記憶装置を含んでいてよい。プロセッサ１１は、公知のデータ処理装置であり、記憶部１２に記憶されるプログラムを実行し、情報処理装置１０の動作を制御するための各処理を実行する。
【００３４】
入力部１３は、ユーザからの操作入力を受け付ける。例えば、入力部１３はキーボード、テンキー、マウス、タッチパッドであってよい。表示部１４は、可視情報を表示する。表示部１４は、ＣＲＴ(Cathode Ray Tube)、ＬＣＤ（Liquid Crystal Display）や有機ＥＬ（Electro Luminescence）ディスプレイであってよい。また、情報処理装置１０は、表示部１４と入力部１３を組み合わせであるタッチディスプレイを備えていてよい。通信部１５は、有線回線または無線回線による各種の機器との通信に使用されるインタフェースや通信デバイスである。
【００３５】
図５に示すハードウエア構成は、あくまで情報処理装置１０のハードウエア構成の一例である。以下に説明する処理を実行するものであれば、様々な種類のハードウエア構成が情報処理装置１０のために採用できる。
【００３６】
図６は、情報処理装置の構成例を示す図である。図６に示す各構成要素の機能は、記憶部１２に記憶されるプログラムをプロセッサ１１が実行することにより実現されるものである。なお同図では、この実施例に関係する機能を中心として示している。
【００３７】
情報処理装置１０は、入力処理部２０と、表示処理部２１と、データ受信部２２と、表示制御部２３と、キーワードテーブル２４とを備える。入力処理部２０は、入力部１３を介したユーザからの操作入力の受付処理を実行する。入力処理部２０は、ユーザによる入力部１３の操作内容を表示制御部２３へ通知する。
【００３８】
表示処理部２１は、表示部１４における可視情報の表示処理を行う。表示部１４に表示される可視情報には、例えばデータ受信部２２により他の機器から受信されたデータや記憶部１２に記憶されたデータを含む。データ受信部２２は、通信部１５を介して他の機器からデータを受信する。
【００３９】
表示制御装置２３は、表示処理部２１による可視情報の表示処理を制御する。図７は、図６に示す表示制御部２３の構成例を示す図である。表示制御部２３は、スクロール指示受付部２５と、判定部２６と、スクロール制御部２７と、メッセージ出力部２８と、応答受付部２９を備える。
【００４０】
スクロール指示受付部２５は、ユーザが入力部１３を介して入力した、表示部１４に表示させる情報の表示範囲をスクロールさせるスクロール指示を、入力処理部２０から受け付ける。判定部２６は、入力されたスクロール指示を実行することによって表示装置１４に表示される情報が、所定条件を満足するか否かを判定する。
【００４１】
所定条件は、例えば、入力されたスクロール指示を実行することによって表示装置１４に表示される情報が、キーワードテーブル２４に記憶されたキーワードを含むとき満足する条件であってよい。図８は、キーワードテーブル２４の例を示す図である。
【００４２】
キーワードテーブル２４に格納されるキーワードは、例えば、それぞれ参照符号３０Ａ〜３０Ｃに示される氏名（「山田  花子」）や、住所（「○○県××市□□町△△△」）、電話番号（「XXX-YYYY-ZZZZ」）であってよい。またキーワードは、例えば、参照符号３０Ｄ及び３０Ｅに示される感情用語（「好き」、「嫌い」）であってよい。キーワードは、例えば、参照符号３０Ｆに示される秘密を意味する言葉（「秘」）や、参照符号３０Ｇに示される秘密に意味する言葉に関連して使用される言葉（「社」）であってよい。キーワードは、例えば、参照符号３０Ｈ及び３０Ｉに示される振り込みに関係する言葉（「振り込み」、「金額」）であってよい。
【００４３】
キーワードテーブル２４は、記憶部１２に記憶される。キーワードテーブル２４は、氏名、住所及び電話番号に関するキーワード３０Ａ〜３０Ｃをキーワードテーブル２４内に格納する代わりに、記憶部１２に別途記憶されたアドレス帳データベース３１を参照するためのリンクやクエリを備えていてもよい。ユーザは、キーワード３０Ｃ〜３０Ｉをキーワードテーブル２４に個別に入力してよい。個別に入力されるキーワード３０Ｃ〜３０Ｉも、キーワードテーブル２４と別個に記憶部１２に格納されるキーワードデータベース３２に記憶されてよい。キーワードテーブル２４は、キーワードデータベース３２を参照するためのリンクやクエリを備えていてもよい。
【００４４】
図７を参照する。スクロール制御部２７は、入力されたスクロール指示に従って表示部１４に表示させる情報の表示範囲をスクロールする。所定条件が満たされると判定部２６が判定すると、スクロール制御部２７は表示範囲のスクロールを抑止する。スクロール制御部２７は、特許請求の範囲に記載された抑止部の一例として挙げられる。
【００４５】
所定条件が満たされると判定部２６が判定すると、メッセージ出力部２８は、表示処理部２１に警告メッセージを出力させる。警告メッセージは表示装置１４に表示される。ユーザが入力部１３を介して入力した警報メッセージに対する応答入力を入力すると、応答受付部２９は入力処理部２０から応答入力を受け付ける。応答入力が受け付けられたとき、スクロール制御部２７はスクロールの抑止を解除する。
【００４６】
以下、表示制御装置２３によるスクロール制御処理を説明する。以下の説明では、表示装置１４に表示させる表示対象情報として、図６に示すデータ受信部２２によって受信された電子メールを例示する。しかし、以下の説明は、表示制御装置２３によるスクロール制御処理の対象をデータ受信部２２によって受信された電子メールに限定することを意図するものではない。
【００４７】
図９は、表示装置１４に表示させる表示対象情報の第１例を示す図である。また、図８の参照符号３０Ｈに示すようにキーワードテーブル２４には、キーワード「振り込み」が記憶されている場合を想定する。
【００４８】
図１０の（Ａ）〜図１０の（Ｄ）は、図９に示す情報の表示状態の説明図である。図１０の（Ａ）は、表示部１４の表示画面５０への電子メール４０の表示を開始した直後の初期状態を示す。電子メール４０の内容を表示画面５０の上方へスクロールすることにより、すなわち、表示画面５０へ表示させる表示範囲を電子メール４０の文末方向へスクロールすることにより、表示画面５０の表示状態は図１０の（Ｂ）に示す状態に至る。
【００４９】
図１０の（Ｂ）に示す状態において、表示範囲の最下行の次の行にはキーワード「振り込み」が含まれている。したがって、現在の表示範囲の続きを閲覧するスクロール指示が入力されても、スクロール制御部２７はスクロールを抑止する。
【００５０】
また図１０の（Ｃ）に示すように、メッセージ出力部２８によって、警報メッセージ５１が表示画面５０に表示される。警報メッセージ５０に対する応答入力をユーザが入力すると、応答受付部２９が応答入力を受け付けることによって、スクロールの抑止が解除される。この結果、図１０の（Ｄ）に示すように、図１０の（Ｂ）の続きの情報が表示される。
【００５１】
図１１は、図６に示す情報処理装置の処理の第１例の説明図である。なお、他の実施態様においては、下記のオペレーションＡＡ〜ＡＣの各オペレーションはステップであってもよい。オペレーションＡＡにおいてデータ受信部２２は、電子メールを受信する。オペレーションＡＢにおいて表示制御部２３は、電子メールを表示する指示をユーザから入力処理部２０が受け付けたか否かを判定する。電子メールを表示する指示を受け付けていないとき（オペレーションＡＢ：Ｎ）、オペレーションＡＢが繰り返される。電子メールを表示する指示が受け付けられたとき（オペレーションＡＢ：Ｙ）、処理はオペレーションＡＣへ進む。
【００５２】
オペレーションＡＣにおいて、表示制御部２３は、図１２に示す表示制御処理を実行する。なお、他の実施態様においては、下記のオペレーションＢＡ〜ＢＧの各オペレーションはステップであってもよい。オペレーションＢＡにおいて判定部２６は、表示部１４の表示画面に表示させる表示範囲の先頭から順に１行分のメール本文を選択する。選択された行を第ｎ行目とする。判定部２６は、第ｎ行目のメール本文とキーワードテーブル２４に記憶されたキーワードとを比較する。
【００５３】
第ｎ行目のメール本文にキーワードが含まれるとき（オペレーションＢＢ：Ｙ）、処理はオペレーションＢＣへ進む。第ｎ行目のメール本文にキーワードが含まれないとき（オペレーションＢＢ：Ｎ）、処理はオペレーションＢＥへ進む。オペレーションＢＣにおいてメッセージ出力部２８は、表示処理部２１に警告メッセージを出力させる。オペレーションＢＤにおいて応答受付部２９は、ユーザからの応答入力を受け付けを試みる。応答入力が受け付けられないとき（オペレーションＢＤ：Ｎ）、応答受付部２９はオペレーションＢＤを繰り返す。応答入力が受け付けられたとき（オペレーションＢＤ：Ｙ）、処理はオペレーションＢＥへ進む。
【００５４】
オペレーションＢＥにおいてスクロール制御部２７は、第ｎ行目のメール本文を表示処理部２１に表示させる。オペレーションＢＦにおいてスクロール制御部２７は、表示部１４の１画面分の表示が終了したか否かを判定する。
【００５５】
１画面分の表示が終了したとき（オペレーションＢＦ：Ｙ）、処理はオペレーションＢＧへ進む。１画面分の表示がまだ終了していないとき（オペレーションＢＦ：Ｎ）、処理はオペレーションＢＡへ戻る。この後に続くオペレーションＢＡ〜ＢＥでは、第ｎ＋１行目のメール本文について同様の処理が実行される。
【００５６】
オペレーションＢＧにおいてスクロール制御部２７は、スクロール指示受付部２５がスクロール指示を受け付けたか否かを判定する。スクロール指示が受け付けられていないとき（オペレーションＢＧ：Ｎ）、スクロール制御部２７はオペレーションＢＧを繰り返す。スクロール指示が受け付けられたとき（オペレーションＢＧ：Ｙ）、処理はオペレーションＢＡに戻る。
【００５７】
本実施例によれば、可視情報の表示を行う情報処理装置において、可視情報に要保護情報が含まれていたときに、要保護情報を不用意に表示してしまうことを防止することができる。
【００５８】
次に、表示対象情報が画像を含んでいる場合における、表示制御装置２３によるスクロール制御処理を説明する。図１３の（Ａ）は表示対象情報の第２例を示す図である。以下の説明では、表示対象情報として、本文テキストデータ４２と添付画像データ４３を含む電子メール４１を例示する。しかし、以下の説明は、表示制御装置２３によるスクロール制御処理の対象を電子メールに限定することを意図するものではない。
【００５９】
図１３の（Ｂ）は図１３の（Ａ）の情報の表示イメージの説明図である。表示イメージ４４は、本文テキストデータ４２を記憶部１２上に展開して生成されたテキスト部分４５及び４６と、添付画像データ４３を展開して生成された画像部分４７を含む。参照符号４８は、表示イメージ中における画像部分４７の表示開始位置を示す。
【００６０】
図１４の（Ａ）〜図１４の（Ｄ）は、図１３の（Ａ）に示す情報の表示状態の説明図である。図１４の（Ａ）は、表示部１４の表示画面５０への電子メール４１の表示を開始した直後の初期状態を示す。電子メール４１の内容を表示画面５０の上方へスクロールすることにより、表示画面５０の表示状態は図１４の（Ｂ）に示す状態に至る。
【００６１】
図１４の（Ｂ）に示す状態において、表示範囲の下端の位置は、画像部分４７の表示開始位置４８の直前である。したがって、現在の表示範囲の続きを閲覧するスクロール指示が入力されると、判定部２６は、表示画面５０の表示範囲の位置と表示開始位置４８とを比較することにより、このスクロール指示により表示範囲内に画像部分４７が含まれると判定する。この結果、スクロール制御部２７はスクロールを抑止する。
【００６２】
また図１４の（Ｃ）に示すように、メッセージ出力部２８によって、警報メッセージ５１が表示画面５０に表示される。警報メッセージ５０に対する応答入力をユーザが入力すると、応答受付部２９が応答入力を受け付けることによって、スクロールの抑止が解除される。この結果、図１４の（Ｄ）に示すように、図１４の（Ｂ）の続きの情報が表示される。
【００６３】
図１５は、表示対象情報が画像を含んでいる場合における、図６に示す情報処理装置の処理の説明図である。なお、他の実施態様においては、下記のオペレーションＣＡ〜ＣＤの各オペレーションはステップであってもよい。オペレーションＣＡにおいてデータ受信部２２は、電子メールを受信する。オペレーションＣＢにおいて表示制御部２３は、電子メールを表示する指示をユーザから入力処理部２０が受け付けたか否かを判定する。電子メールを表示する指示を受け付けていないとき（オペレーションＣＢ：Ｎ）、オペレーションＣＢが繰り返される。電子メールを表示する指示が受け付けられたとき（オペレーションＣＢ：Ｙ）、処理はオペレーションＣＣへ進む。
【００６４】
オペレーションＣＣにおいて、表示制御部２３は、電子メールに画像が添付されているか否かを判定する。画像が添付されているとき（オペレーションＣＣ：Ｙ）、処理はオペレーションＣＤへ進む。画像が添付されていないとき（オペレーションＣＣ：Ｎ）、表示制御部２３は、通常の電子メールと同様に電子メールの表示処理を行う。または画像が添付されていないとき（オペレーションＣＣ：Ｎ）、表示制御部２３は、図１２を参照して説明した処理を行ってもよい。
【００６５】
オペレーションＣＤにおいて、表示制御部２３は、図１６に示す表示制御処理を実行する。なお、他の実施態様においては、下記のオペレーションＤＡ〜ＤＨの各オペレーションはステップであってもよい。オペレーションＤＡにおいて表示制御部２３は、電子メールの表示イメージを記憶部１２に展開する。
【００６６】
オペレーションＤＢにおいて判定部２６は、表示部１４の表示画面の表示範囲の位置と、表示イメージにおける画像の表示開始位置とを比較して、表示範囲内に画像が含まれるか否かを判定する。表示範囲内に画像が含まれるとき（オペレーションＤＢ：Ｙ）、処理はオペレーションＤＣへ進む。表示範囲内に画像が含まれないとき（オペレーションＤＢ：Ｎ）、処理はオペレーションＤＦへ進む。
【００６７】
オペレーションＤＣにおいてスクロール制御部２７は、画像の表示開始位置の前までのメールの内容を表示処理部２１に表示させる。オペレーションＤＤにおいてメッセージ出力部２８は、表示処理部２１に警告メッセージを出力させる。オペレーションＤＥにおいて応答受付部２９は、ユーザからの応答入力を受け付けを試みる。応答入力が受け付けられないとき（オペレーションＤＥ：Ｎ）、応答受付部２９はオペレーションＤＥを繰り返す。応答入力が受け付けられたとき（オペレーションＤＥ：Ｙ）、処理はオペレーションＤＦへ進む。
【００６８】
オペレーションＤＦにおいてスクロール制御部２７は、表示部１４の表示画面の表示範囲に表示させる内容を全て表示する。オペレーションＤＧにおいてスクロール制御部２７は、展開された表示イメージを全て表示したか否かを判定する。表示イメージが全て表示されたとき（オペレーションＤＧ：Ｙ）、処理は終了する。表示イメージが全て表示されていないとき（オペレーションＤＧ：Ｎ）、処理はオペレーションＤＨへ進む。
【００６９】
オペレーションＤＨにおいてスクロール制御部２７は、スクロール指示受付部２５がスクロール指示を受け付けたか否かを判定する。スクロール指示が受け付けられていないとき（オペレーションＤＨ：Ｎ）、スクロール制御部２７はオペレーションＤＨを繰り返す。スクロール指示が受け付けられたとき（オペレーションＤＨ：Ｙ）、処理はオペレーションＤＢに戻る。
【００７０】
本実施例によれば、可視情報の表示を行う情報処理装置において、可視情報に画像情報が含まれていたときに画像情報を不用意に表示してしまうことを防止できる。
（付記１）
表示装置に表示させる情報の表示範囲をスクロールさせるスクロール指示を受け付けるスクロール指示受付部と、
前記スクロール指示を実行することによって前記表示装置に表示される情報が、所定条件を満足するか否かを判定する判定部と、
前記所定条件を満足する場合に前記表示範囲のスクロールを抑止する抑止部と、を備える表示制御装置。
（付記２）
前記スクロール指示を実行することによって前記表示装置に表示される情報が、所定の記憶部に記憶された所定情報を含む場合に、前記所定条件を満足する付記１に記載の表示制御装置。
（付記３）
前記所定情報は、キーワードであることを特徴とする付記２に記載の表示制御装置。
（付記４）
前記スクロール指示を実行することによって前記表示装置に表示される情報が画像を含む場合に、前記所定条件を満足する付記１に記載の表示制御装置。
（付記５）
前記所定条件を満足する場合に前記表示装置に所定メッセージを出力するメッセージ出力部を備える付記１〜４のいずれか一項に記載の表示制御装置。
（付記６）
付記１〜５のいずれか一項に記載の表示制御装置と、
前記表示装置と、
ユーザによる前記スクロール指示の操作入力を受け付ける入力部と、を備える情報処理装置。
（付記７）
情報処理装置によって実行される表示制御方法であって、
表示装置に表示させる情報の表示範囲をスクロールさせるスクロール指示を受け付け、
前記スクロール指示を実行することによって前記表示装置に表示されることになる情報が所定条件を満足するか否かを判定し、
前記所定の条件を満足する場合に前記表示範囲のスクロールを抑止する表示制御方法。
（付記８）
コンピュータを、
表示装置に表示させる情報の表示範囲をスクロールさせるスクロール指示を受け付けるスクロール指示受付部、
前記スクロール指示を実行することによって前記表示装置に表示される情報が、所定条件を満足するか否かを判定する判定部、および
前記所定条件を満足する場合に前記表示範囲のスクロールを抑止する抑止部、として機能させるコンピュータプログラム。
【符号の説明】
【００７１】
１    表示制御装置
２    スクロール指示受付部
３    判定部
４    抑止部
【図１】
2011197867.tif 000003
【図２】
2011197867.tif 000004
【図３】
2011197867.tif 000005
【図４】
2011197867.tif 000006
【図５】
2011197867.tif 000007
【図６】
2011197867.tif 000008
【図７】
2011197867.tif 000009
【図８】
2011197867.tif 000010
【図９】
2011197867.tif 000011
【図１０】
2011197867.tif 000012
【図１１】
2011197867.tif 000013
【図１２】
2011197867.tif 000014
【図１３】
2011197867.tif 000015
【図１４】
2011197867.tif 000016
【図１５】
2011197867.tif 000017
【図１６】
2011197867.tif 000018